(57)【要約】【課題】送風機が熱交換器と無関係に支持でき、且つ、送風機が短い部材でも確実に支持できるようにする。【解決手段】前側水平板部１２Ａの前端側の下向傾斜部１２Ｃを底板傾斜部５Ｃ（１）に沿わせて螺子止め固定することにより、送風機４を上部側に支持する支柱６の下部側を筐体１の底板５に固定すると共に、支柱６の平板部分の切り起し加工により形成した傾斜補強部材１５Ａの先端１５Ｂを底板傾斜部５Ｃ（２）に沿わせ、傾斜補強部材１５Ａの平板部の切り起し加工により形成した前側水平板部１６Ａを介して底板棚部５Ｂ（３）に螺子止め固定して支柱６を補強するようにした。【選択図】  図２
2005188835.tif 000002
【特許請求の範囲】
【請求項１】
支柱に支持された送風機を冷媒圧縮機、熱交換器などと共に筐体内に備えた空気調和機の室外機において、送風機を支持する支柱を筐体の底板に立設し、その支柱の途中部分に傾斜補強部材の上部側を固定し、傾斜補強部材の下部側を底板のプレス成型加工により形成した底板傾斜部に添設して底板に螺子止めしたことを特徴とする空気調和機の室外機。
【請求項２】
支柱は前方に屈曲形成された前側水平板部を介して底板に螺子止めされ、傾斜補強部材は前方に屈曲形成した前側水平板部を介して底板棚部に螺子止めされ、熱交換器全体若しくはその主要部分が傾斜補強部材の後方に設置されて送風機の後方に位置することを特徴とする請求項１記載の空気調和機の室外機。
【請求項３】
支柱の平板部分に対する切り起し加工により傾斜補強部材が形成され、傾斜補強部材の平板部分に対する切り起し加工により傾斜補強部材の前側水平板部が形成されたことを特徴とする請求項２記載の空気調和機の室外機。
【請求項４】
傾斜補強部材の前側水平板部の螺子穴が、切り起し加工により傾斜補強部材の前側水平板部を形成した際に傾斜補強部材の平板部分に形成された開口部を介して上方から視認可能に設けられたことを特徴とする請求項３記載の空気調和機の室外機。
【発明の詳細な説明】
【技術分野】
【０００１】
本発明は、室内壁面などに設置される室内機と共同して室内空気の温度調節などに供される空気調和機の室外機に関するものである。
【背景技術】
【０００２】
この種の室外機は、例えば図６に示したように、廉価で強度に優れた鋼製の筐体内に冷媒を圧縮する圧縮機２、冷房運転時には冷媒が周囲の空気に放熱して凝縮し、暖房運転時には冷媒が周囲の空気から吸熱して蒸発する熱交換器３、外気を筐体内に取り込んで熱交換器の伝熱フィンに吹き付ける送風機４などを備えている。
【０００３】
そして、送風機４は、一端が筐体の底板５に固定され、他端が熱交換器３に掛止された支柱６に支持されて収納されている（例えば、特許文献１参照。）。
【特許文献１】特開２００３−１４８７７０号
【発明の開示】
【発明が解決しようとする課題】
【０００４】
特許文献１に提案された空気調和機の室外機においては、送風機を支持している支柱は一端が筐体の底板に固定され、他端が熱交換器の上端部に掛止される構造であったため、熱交換器の保守点検などのために熱交換器を取り外す必要が生じると、送風機を支持している支柱まで取り外す必要があった。
【０００５】
また、送風機を支持する支柱には長い鋼材を使用せざるを得ず、製造コストの削減が図り難いと云った問題点もあった。すなわち、送風機装着部材は、送風機が確実に支持できるのであれば、送風機が所定の高さに装着し得る寸法さえあれば良く、送風機が取り付けられる部位から上の部分は、いわば無駄な部分である。
【０００６】
なお、送風機装着部材は部分的に打ち抜きによる開口が設けられているが、これは室外機の軽量化には寄与しても、切り抜きにより得られた鋼片は鉄屑として売却するしかなく、室外機の製造コストの削減には殆ど寄与しない。
【０００７】
したがって、送風機が熱交換器と無関係に支持でき、且つ、送風機が短い部材でも確実に支持できるようにする必要があり、それが解決すべき課題となっていた。
【課題を解決するための手段】
【０００８】
本発明は上記従来技術の課題を解決するため、冷媒圧縮機、熱交換器、送風機を筐体内に備えた空気調和機の室外機において、筐体の底板に送風機装着用の支柱を立設し、その支柱の途中部分に底板の絞り加工により形成した底板棚部と形状変化のない底板底部との間の底板傾斜部に一端を添設して底板に螺子止めした傾斜補強部材の他端を連結したことを主要な特徴とするものである。
【発明の効果】
【０００９】
本発明によれば、下端側だけが筐体の底板に固定された短い支柱であっても、送風機を熱交換器から独立した形で確実に支持することが可能であり、使用部材の削減により、製造コストの削減も図れる。しかも、一端を底板傾斜部に添設して底板に螺子止め固定した傾斜補強部材の他端が途中部分に固定されて支柱が補強されているので、搬送時や運転中にガタツクことがない。
【発明を実施するための最良の形態】
【００１０】
送風機を支持する支柱が前方に屈曲形成された下端部の前側水平板部を介して筐体の底板に螺子止めされ、支柱平板部分の切り起し加工により形成したフラップからなる傾斜補強部材の下端部分を、底板のプレス成型加工により形成した底板傾斜部に沿わせて底板に螺子止め固定した空気調和機の室外機。
【実施例１】
【００１１】
本発明の一実施例を、図１〜図５に基づいて説明する。なお、理解を容易にするため、これらの図面においても前記図６において説明した部分と同様の機能を有する部分には、同一の符号を付した。
【００１２】
本発明の室外機１００においても、図４に示すように鋼製の筐体１の内部には冷媒を圧縮するための圧縮機２と、熱交換器３と、送風機４とが装備されている。なお、熱交換器３は、上から見た形が略Ｌ字状に形成・配置されて、熱交換器３の伝熱管内を流れる冷媒と、送風機４により機外から取り込まれた空気との熱交換効率が高められている。
【００１３】
送風機４は、筐体１の底板５に下部側が螺子止め固定された支柱６の上部側に装着されている。なお、支柱６は、断面がコ字状をした適宜の高強度部材、例えば鋼板などを機械加工することにより作製される。
【００１４】
すなわち、例えば図３に示したように、長方形をした連結片７と、その連結片７の長辺に沿って起立し、平行に対向設置された起立片８、９とからなる断面コ字状の鋼板に対し、一端のコーナ部１０、１１を切断してフラップ１２、１３、１４を形成する。
【００１５】
そして、各フラップを外側（以下の説明においては、各片によって断面コ字状に囲われている側を内側、その反対側を外側と云う。）方向に９０度曲げ加工して、前側水平板部１２Ａ、横側水平板部１３Ａ、１４Ａを形成する。
【００１６】
なお、前側水平板部１２Ａとして機能するフラップ１２の先端には下向傾斜部１２Ｃを設け、下向傾斜部１２Ｃ、横側水平板部１３Ａ、１４Ａには螺子２０の雄螺子部が遊挿可能な螺子穴１２Ｂ、１３Ｂ、１４Ｂを開設する。
【００１７】
また、連結片７の中央部分に略コ字状の切断加工を施して、連結片７の一端側で連結片７の残余部分と連結されているフラップ１５を形成し、そのフラップ１５を連結片７の内側に起立させ、さらに起立状態から連結片７の一端の側に４０〜６０度程度、例えば５０度回動することで、傾斜補強部材１５Ａが形成される。
【００１８】
また、フラップ１５からなる傾斜補強部材１５Ａの部分にも略コ字状の切断加工を施して、傾斜補強部材１５Ａの先端１５Ｂの側で傾斜補強部材１５Ａの残余部分と連結されているフラップ１６を形成し、連結片７の側にそのフラップ１６を前側水平板部１２Ａなどと平行になるまで引き起こすことで前側水平板部１６Ａが形成され、その前側水平板部１６Ａには螺子２０の雄螺子部が遊挿可能な螺子穴１６Ｂが開設される。
【００１９】
なお、前側水平板部１６Ａに開設される螺子穴１６Ｂは、フラップ１６を引き起こして前側水平板部１６Ａを形成したときに、フラップ１５からなる傾斜補強部材１５Ａに形成された開口部１５Ｃを介して、連結片７の他端側から確認しながら螺子２０を捩じ込んだり、外すことができる位置に設けられる。
【００２０】
さらに、連結片７の他端側に送風機４を取り付けるための送風機取付穴１７を開設することにより、支柱６が形成される。なお、支柱６を実際に作製する際には、図１および図２に示したように、フラップ１５の形成時に連結片７に形成された開口部７Ａの周囲にフランジ７Ｂを設ける、傾斜補強部材１５Ａに突条１５Ｄを形成する、などして部材の曲げ剛性の改善が図られる。
【００２１】
一方、筐体１の底板５には、機器を載置するための複数個の棚部がプレス加工により分散設置されている。また、これら複数個の棚部を分散設置したことにより、底板５の曲げ剛性が改善されている。すなわち、底板５には、最も低く形成された底板底部５Ａと、底板底部５Ａより高く形成された底板棚部５Ｂと、傾斜している底板傾斜部５Ｃとがある。
【００２２】
そして、底板棚部５Ｂ（１）には熱交換器３が載置され、底板棚部５Ｂ（２）と、その前端部分と底板底部５Ａとを連結している底板傾斜部５Ｃ（１）には支柱６が螺子止め固定され、傾斜補強部材１５Ａと同じ傾斜で形成された底板傾斜部５Ｃ（２）を介して底板棚部５Ｂ（１）の前端部分と連結され、底板棚部５Ｂ（１）より一段高く形成された底板棚部５Ｂ（３）には傾斜補強部材１５Ａが螺子止め固定されている。
【００２３】
すなわち、底板５には、支柱６（傾斜補強部材１５Ａを含む）の各部に開設した螺子穴に対応し、螺子２０の雄螺子部が螺合可能な雌螺子を内面に有する図示しない螺子穴が所定部所に設けられている。
【００２４】
しかも、傾斜補強部材１５Ａの先端１５Ｂを同傾斜の底板傾斜部５Ｃ（２）に沿わせると、前側水平板部１２Ａの前端の下向傾斜部１２Ｃが底板傾斜部５Ｃ（１）に沿い、下向傾斜部１２Ｃ、横側水平板部１３Ａ、１４Ａ、前側水平板部１６Ａそれぞれの螺子穴と、底板５側に設けた図示しない対応する螺子穴とが対峙可能に設けられている。
【００２５】
したがって、支柱６を起立させた状態で、傾斜補強部材１５Ａの先端１５Ｂの部分を底板傾斜部５Ｃ（２）に沿わせるだけで、下向傾斜部１２Ｃが底板傾斜部５Ｃ（１）に沿い、下向傾斜部１２Ｃ、横側水平板部１３Ａ、１４Ａ、前側水平板部１６Ａそれぞれの螺子穴１２Ｂ、１３Ｂ、１４Ｂ、１６Ｂが底板５側に設けた図示しない対応する螺子穴に臨むので、螺子２０の雄螺子部を支柱６（傾斜補強部材１５Ａを含む）の螺子穴側から底板５側の螺子穴に螺合させることで、支柱６は底板５に立設される。
【００２６】
しかも、支柱６は、下向傾斜部１２Ｃが底板傾斜部５Ｃ（１）に沿った状態で、前側水平板部１２Ａ、横側水平板部１３Ａ、１４Ａを介して底板５に螺子止め固定されると共に、支柱６の途中部分から延設されたフラップ１５からなる傾斜補強部材１５Ａの先端１５Ｂが、下向傾斜部１２Ｃが沿わされている底板傾斜部５Ｃ（１）とは逆向き傾斜の底板傾斜部５Ｃ（２）に沿わされて、フラップ１６からなる前側水平板部１６Ａが底板棚部５Ｂ（３）に螺子止め固定されるので、送風機４が支持された支柱６の上部側を熱交換器３などに係止しなくても、搬送時や運転中にガタツクことがない。
【００２７】
なお、前側水平板部１６Ａに開設された螺子穴１６Ｂは、開口部１５Ｃを介して連結片７の他端側（起立状態のときは上方）から視認可能な位置に設けられているので、熱交換器３が装着されていても、上方から螺子２０を螺合することも、外すことも可能である。
【００２８】
本発明は上記実施形態に限定されるものではないので、特許請求の範囲に記載の趣旨から逸脱しない範囲で各種の変形実施が可能である。
【００２９】
例えば、前側水平板部１２Ａの前方に設ける下向傾斜部１２Ｃ、横側水平板部１３Ａ、１４Ａなどは必ずしも必要ではない。
【００３０】
また、傾斜補強部材１５Ａを支柱６とは別体として作製し、支柱６に溶接などで取り付けて一体化することなども可能である。
【図面の簡単な説明】
【００３１】
【図１】本発明室外機の要部の説明図である。
【図２】本発明室外機の要部を拡大した説明図である。
【図３】送風機を支持する支柱の説明図である。
【図４】本発明室外機の前面板と背面板と天面板とを外して示す内部の説明図である。
【図５】本発明室外機の外観の説明図である。
【図６】従来技術を示す説明図である。
【符号の説明】
【００３２】
１  筐体
２  圧縮機
３  熱交換器
４  送風機
５  底板
５Ａ  底板底部
５Ｂ  底板棚部
５Ｃ  底板傾斜部
６  支柱
７  連結片
８、９  起立片
１０、１１  コーナ部
１２  フラップ
１２Ａ  前側水平板部
１２Ｂ  螺子穴
１２Ｃ  下向傾斜部
１３  フラップ
１３Ａ  横側水平板部
１３Ｂ  螺子穴
１４  フラップ
１４Ａ  横側水平板部
１４Ｂ  螺子穴
１５  フラップ
１５Ａ  傾斜補強部材
１５Ｂ  先端
１５Ｃ  開口部
１６  フラップ
１６Ａ  前側水平板部
１６Ｂ  螺子穴
１７  送風機取付穴
２０  螺子
１００  室外機
【図１】
2005188835.tif 000003
【図２】
2005188835.tif 000004
【図３】
2005188835.tif 000005
【図４】
2005188835.tif 000006
【図５】
2005188835.tif 000007
【図６】
2005188835.tif 000008